(57)【要約】【課題】点灯回路の組み込みが容易で全体の組立性に優れ、電気的な接続が簡単でその信頼性にも優れた口金型蛍光灯を提供する。【解決手段】内部に点灯回路１を収容した略筒状のケース２を介して蛍光ランプ３と口金４とを結合一体化してなる口金型蛍光灯において、略筒状のケース２を縦割り状で両側へ第一ケース部材２ａと第二ケース部材２ｂとに分割形成し、第一ケース部材２ａには点灯回路１を組み込み、第二ケース部材２ｂには蛍光ランプ３を保持させて、この両ケース部材２ａ、２ｂを略筒状のケース３となるように接続一体化した。【選択図】　　　　　図１
2004022253.tif 000002
【特許請求の範囲】
【請求項１】
内部に点灯回路を収容した略筒状のケースを介して蛍光ランプと口金とを結合一体化してなる口金型蛍光灯であって、前記略筒状のケースを縦割り状で両側へ第一ケース部材と第二ケース部材とに分割形成し、第一ケース部材に点灯回路を組み込み、第二ケース部材に蛍光ランプを保持させて、この両ケース部材を略筒状のケースとなるように接続一体化してなる口金型蛍光灯。
【請求項２】
両ケース部材が機械的に接続されるに伴って、点灯回路と蛍光ランプとが電気的に接続されるようになしたことを特徴とする請求項１記載の口金型蛍光灯。
【請求項３】
点灯回路を有する回路基板をその板面方向がケースの筒方向と略合致するよう縦向きに第一ケース部材に保持させて、同点灯回路を組み込んだことを特徴とする請求項２記載の口金型蛍光灯。
【請求項４】
第一ケース部材の分割開口に沿って回路基板を保持させ、この回路基板に点灯回路の出力端子を突設し、第二ケース部材に端子受け部を形成し、接続一体化の際に同端子受け部に出力端子が係合されることで、この出力端子と端子受け部との間に蛍光ランプのリード線が挟持されて電気的に接続されるようになしたことを特徴とする請求項３記載の口金型蛍光灯。
【請求項５】
端子受け部に蛍光ランプのリード線を仮保持する切溝を形成したことを特徴とする請求項４記載の口金型蛍光灯。
【発明の詳細な説明】
【０００１】
【発明の属する技術分野】
本発明は、内部に点灯回路を収容した略筒状のケースを介して蛍光ランプと口金とを結合一体化してなり、主として照明用の光源として用いられる口金型蛍光灯に関するものである。
【０００２】
【従来の技術】
従来から、内部に点灯回路を収容した略筒状のケースを介して蛍光ランプと口金とを結合一体化してなる口金型蛍光灯は各種提案されている。例えば、特開平８−２７３６１５号公報には、口金を有するカバーと、これに取り付けられた蛍光ランプと、口金と蛍光ランプとの間に接続されてカバーに収容される点灯回路とを具備した蛍光ランプ装置が開示されている。この蛍光ランプ装置では、仕切板及び外囲器が設けられている。
【０００３】
又、特開２０００−４８６３３公報には、点灯回路と、これに電気的に接続された蛍光ランプと、点灯回路に電気的に接続される口金と、点灯回路を収容する基体とを具備した蛍光ランプ装置が開示されている。この蛍光ランプ装置では、蛍光ランプからのリード線と点灯回路との接続が、基板に設けられたピンへのワイヤーラッピングや溶接によって行われる。
【０００４】
又、特開２０００−３４０１１４公報には、管球の口金のアイレットから導出したリード線をプラズマアーク溶接によってアイレットに融着する管球の製造方法が開示されている。ここでは、口金と点灯回路との接続が、点灯回路からのリード線を口金部で半田付けすることにより行われる。
【０００５】
又、特開平１１−９６８９８号公報には、発光管と、この発光管の両端部を保持したホルダと、発光管を点灯するための電子点灯回路と、これを収容したケースと、このケースの一端に設けられた口金とを具備した低圧水銀放電ランプが開示されている。この低圧水銀放電ランプでは、複数の回路基板が導電性の支持体によって電気的及び機械的に接続される。
【０００６】
又、特開２００１−７６６１４公報には、内部に点灯回路が収容されているケースの一端部に、アイレットとネジ状のシェルとを有する口金部が形成された管球が開示されている。この管球では、ケース内側から導電性部品を挿通して口金のアイレットとして使用し、ケースから露出している部分に切り起こしを設けることで、装着時の軸力を受ける構造となっている。
【０００７】
しかしながら、上記いずれのものにあっても、略筒状に形成された一体のケースを使用する構成となっているため、組立性に難点があり、又、このことにも起因して、ケース内部に収容される点灯回路への蛍光ランプ及び口金の電気的接続の信頼性が低下するという問題があった。具体的には、ケース内部の口金側に回路基板の接続部が位置する場合、電線の引き回しや接続が困難である。又、点灯回路と口金との接続も、ケース及び口金が略筒状であるため、リード線を穴に通さなければならず、生産性が良くないものである。
【０００８】
なお、ワイヤーラッピングや溶接による接続では、そのための工程が必要となって生産性は良くなく、ワイヤーラッピングでは接続の信頼性も低い。又、半田による接続では、トップ及びサイドの半田高さにバラツキを生じるため、ソケットとの接続に悪影響を与える恐れがある。そして、金属部品をケース内側から挿通させてアイレットとする場合には、抜け止めの切り起こしが外観を損なうこととなり、又、ランプ装着時の軸力に対するアイレットの強度にも不安を生じることとなる。
【０００９】
ところで、別の従来例として、図７に示す如く、内部に点灯回路１を収容した略筒状のケース２を介して蛍光ランプ３と口金４とを結合一体化してなる口金型蛍光灯も知られている。この口金型蛍光灯は、特開平７−２２０６２１号公報に開示されたシングルエンド型放電ランプである。
【００１０】
この場合、点灯回路１を有する回路基板５がケース２内で垂直に固定されて収容されており、このケース２は横割り状で上下のケース部材ａ、ｂに分割形成されている。そして、上側のケース部材ａには蛍光ランプ２が機械的に取付支持され、同蛍光ランプ２のリード線８は前記回路基板５に植設されたコネクタ素子に機械的且つ電気的に接続される。又、下側のケース部材ｂには口金４が付設されていて、このケース部材ｂを前記上側のケース部材ａに結合一体化させることで口金型蛍光灯は形成される。
【００１１】
ここでは、ケース２が二つのケース部材ａ、ｂに分割されていて、電線の引き回しや接続は比較的容易となり、又、蛍光ランプ２のリード線８が回路基板５のコネクタ素子に機械的に接続されるため、生産性や接続の信頼性もある程度は向上される。しかしながら、ケース２が横割り状に分割形成されているため、分割された各ケース部材ａ、ｂは略筒状のままであり、上記問題が十分には解決されないものである。
【００１２】
【発明が解決しようとする課題】
そこで、本出願人は、上記事情に鑑み、特願２００２−１０１８５１として新規な口金型蛍光灯装置を出願している。この出願に係る発明は、上記従来の筒状で一体のケースのものに比べ、点灯回路の組み込みが容易となり、口金及び蛍光ランプの電気的接続が簡単となる口金蛍光灯装置を提供することを目的としている。そして、同出願に係る発明は、縦割り状で両側へ分割形成されたケース本体とケースカバーのうち、少なくともケース本体の箇所で点灯回路と蛍光ランプ及び口金とが接続されることを特徴としている。
【００１３】
したがって、同出願に係る発明では、略筒状のケースが縦割り状で両側に分割形成されるため、ケース本体の開口を開いた状態で点灯回路を容易に組み込むことができ、これに蛍光ランプ及び口金を電気的に接続する作業も簡単となる。しかしながら、この場合、分割された片側のケース本体に点灯回路と蛍光ランプ及び口金の全てが配置されることになるので、これ等を配置して且つ接続する作業は複雑なものとなる。又、一つのケース本体に点灯回路と蛍光ランプ及び口金の全てを組み込んだものとすると、その組立作業も困難となる。
【００１４】
本発明は、上記従来の技術における問題を解決すると共に上記本出願人の先願に係る発明における問題をも解決するために発明されたもので、その課題は、点灯回路の組み込みが容易で全体の組立性に優れ、電気的な接続が簡単でその信頼性にも優れた口金型蛍光灯を提供することである。
【００１５】
【課題を解決するための手段】
本発明の請求項１記載の口金型蛍光灯は、内部に点灯回路を収容した略筒状のケースを介して蛍光ランプと口金とを結合一体化してなる口金型蛍光灯であって、前記略筒状のケースを縦割り状で両側へ第一ケース部材と第二ケース部材とに分割形成し、第一ケース部材に点灯回路を組み込み、第二ケース部材に蛍光ランプを保持させて、この両ケース部材を略筒状のケースとなるように接続一体化してなるものである。
【００１６】
したがって、この場合、縦割り状で両側へ分割形成された第一ケース部材と第二ケース部材とが接続一体化されて略筒状のケースが形成されるので、同ケースを分割して開放させた状態でその中に点灯回路を容易に組み込むことができ、しかも、同点灯回路と蛍光ランプ及び口金との電気的な接続作業を簡単且つ確実に行うことができて、電気的接続の信頼性も向上される。又、分割された一方の第一ケース部材に点灯回路が組み込まれ、他方の第二ケース部材に蛍光ランプが保持されて、両者が接続一体化されるので、点灯回路を組み込む作業と蛍光ランプを保持させて装着する作業とを両ケース部材に対し別々に行うことができ、全体の組立性が向上される。
【００１７】
本発明の請求項２記載の口金型蛍光灯は、上記請求項１記載の口金型蛍光灯において、両ケース部材が機械的に接続されるに伴って、点灯回路と蛍光ランプとが電気的に接続されるようになしたことを特徴とするものである。
【００１８】
したがって、この場合は特に、両ケース部材を機械的に接続することで、点灯回路と蛍光ランプとが電気的にも接続されるので、電気的な接続作業が簡略化される。
【００１９】
本発明の請求項３記載の口金型蛍光灯は、上記請求項２記載の口金型蛍光灯において、点灯回路を有する回路基板をその板面方向がケースの筒方向と略合致するよう縦向きに第一ケース部材に保持させて、同点灯回路を組み込んだことを特徴とするものである。
【００２０】
したがって、この場合は特に、点灯回路を有する回路基板が略筒状のケース内で筒方向に沿って縦向きに保持されるので、このケース内の空間が蛍光ランプ側と口金側とに仕切られることがなく、電線の引き回しが容易となる。
【００２１】
本発明の請求項４記載の口金型蛍光灯は、上記請求項３記載の口金型蛍光灯において、第一ケース部材の分割開口に沿って回路基板を保持させ、この回路基板に点灯回路の出力端子を突設し、第二ケース部材に端子受け部を形成し、接続一体化の際に同端子受け部に出力端子が係合されることで、この出力端子と端子受け部との間に蛍光ランプのリード線が挟持されて電気的に接続されるようになしたことを特徴とするものである。
【００２２】
したがって、この場合は特に、回路基板が第一ケース部材の分割開口に沿って保持され、この回路基板に突設される出力端子と第二ケース部材に形成される端子受け部との間で、蛍光ランプのリード線が両ケース部材を接続一体化する際に挟持されることにより、同リード線と回路基板の点灯回路との電気的な接続が行われるので、この電気的な接続はより簡単で確実となり、生産性や電気的接続の信頼性がより向上される。
【００２３】
本発明の請求項５記載の口金型蛍光灯は、上記請求項４記載の口金型蛍光灯において、端子受け部に蛍光ランプのリード線を仮保持する切溝を形成したことを特徴とするものである。
【００２４】
したがって、この場合は特に、両ケース部材を接続一体化する際に、蛍光ランプのリード線が端子受け部の切溝に仮保持されるので、この端子受け部と回路基板の出力端子との間の所定の位置で同リード線は簡単且つ確実に挟持され、電気的な接続の正確性及び信頼性がより向上される。
【００２５】
【発明の実施の形態】
図１〜３は、本発明の請求項１〜５全てに対応する第一の実施形態を示し、この実施形態の口金型蛍光灯は、内部に点灯回路１を収容した略筒状のケース２を介して蛍光ランプ３と口金４とを結合一体化してなるものである。そして、この口金型蛍光灯では、前記略筒状のケース２を縦割り状で両側へ第一ケース部材２ａと第二ケース部材２ｂとに分割形成し、第一ケース部材２ａには点灯回路１を組み込み、第二ケース部材２ｂには蛍光ランプ３を保持させて、この両ケース部材２ａ、２ｂを略筒状のケース２となるように接続一体化して形成している。
【００２６】
この場合、両ケース部材２ａ、２ｂが機械的に接続されるに伴って、点灯回路１と蛍光ランプ３とが電気的に接続されるようになしている。すなわち、点灯回路１を有する回路基板５をその板面方向がケース２の筒方向と略合致するよう縦向きに第一ケース部材２ａに保持させて、同点灯回路１を組み込み、その際、第一ケース部材２ａの分割開口に沿って回路基板５を保持させている。そして、この回路基板５に点灯回路１の出力端子６を突設し、第二ケース部材２ｂに端子受け部７を形成し、接続一体化の際に同端子受け部７に出力端子６が係合されることで、この出力端子６と端子受け部７との間に蛍光ランプ３のリード線８が挟持されて電気的に接続されるようになしている。又、ここでは、端子受け部７に蛍光ランプ３のリード線８を仮保持する切溝９を形成してもいる。
【００２７】
次に、この口金型蛍光灯の具体的構造を詳細に説明する。点灯回路１は回路基板５に各種電子部品を実装することで形成されており、口金４を介し電源に接続されることによって、蛍光ランプ３に点灯用の電力を供給するものである。ケース２は全体として略円筒状で、蛍光ランプ３を保持する側が大径に形成され、口金４の取り付けられる側が縮径形成されている。そして、ケース２はその筒軸方向に沿って第一ケース部材２ａと第二ケース部材２ｂとに分割形成され、両ケース部材２ａ、２ｂが断面略半円弧状となっている。蛍光ランプ３は略Ｕ字状管でその両端部（フィラメントが内蔵された側）が前記第二ケース部材２ｂに保持され、同端部から導出されたリード線８を介し前記点灯回路１から電力供給を受けて点灯するものである。
【００２８】
両ケース部材２ａ、２ｂはいずれも各別に合成樹脂にて一体に形成されたものであり、一方の第一ケース部材２ａには、その分割開口に沿った状態で回路基板５が保持される。この場合、回路基板５の外形状はケース２の縮径部分の内面に沿った形状で、全体として略Ｔ字状に形成されており、このＴ字状の下端部１２が口金４の内部に挿入収容されることとなる。そして、第一ケース部材２ａの内側には支持ピン１０が一体に突設されており、この支持ピン１０が回路基板５に形成された係合孔１１に挿入係止されることで、この回路基板５は同第一ケース部材２ａの分割開口部分に位置決めされて保持固定される。ここでは、回路基板５の片面に突設された複数の出力端子６が表側に突出しており、又、第一ケース部材２ａの大径部分には蛍光ランプ３の端部保持部分を収容するためのスペースが確保される。
【００２９】
第二ケース部材２ｂの大径部分の筒端部分には複数の蛍光ランプ３を保持するサポート体１３が設けられており、このサポート体１３は第二ケース部材２ｂと一体に形成されても良いし、同第二ケース部材２ｂに嵌着して取り付けられても良い。そして、サポート体１３には複数の支持開口１４が形成されており、各支持開口１４に蛍光ランプ３の両端部が嵌合固定されることで、各蛍光ランプ３は同サポート体１３を介して第二ケース部材２ｂに保持される。その際、各蛍光ランプ３から導出垂下される複数のリード線８が、第二ケース部材２ｂの端子受け部７に形成された切溝９に係合されて仮保持される。端子受け部７は第二ケース部材２ｂの中程内部に、対に並設された壁形状として一体に形成されている。
【００３０】
そして、両ケース部材２ａ、２ｂはその各分割開口同士が対向するように係合されて、相互に結合一体化される。この場合、前記第二ケース部材２ｂのサポート体１３の一部突出した部分が第一ケース部材２ａの内側に係合されると共に、同サポート体１３の両側端に形成された溝状部１５が第一ケース部材２ａの大径部分の筒端部分内周に突設された凸起片１６に係止される。又、両ケース部材２ａ、２ｂの分割開口縁部分同士が係合され、その際、第一ケース部材２ａの分割開口縁部分内側に突設された傾斜凸起１７が第二ケース部材２ｂの分割開口縁部分に穿設された係合孔１８に係止される。又、その際、第二ケース部材２ｂの内側に突設された筒状ピン２０に前記第一ケース部材２ａの支持ピン１０が挿入嵌合され、この支持ピン１０の先端と同筒状ピン２０の先端との間には前記回路基板５が挟持されて強固に保持固定されることとなる。このようにして、両ケース部材２ａ、２ｂは相互に位置決めされて確実に結合一体化されるものである。
【００３１】
前記の如く、両ケース部材２ａ、２ｂが機械的に接続されると、同時に点灯回路１と蛍光ランプ３とは電気的に接続される。すなわち、図３に示す如く、端子受け部７は並設される対の壁片１９でなり、両壁片１９には各々切溝９ａ、９ｂが形成されていて、両切溝９ａ、９ｂ間に蛍光ランプ３から導出されるリード線８が掛け渡すようにして係合保持され、この状態で、同両壁片１９間に回路基板５に突設された出力端子６が挿入係合される。これにより、リード線８は両壁片１９でなる端子受け部７と出力端子６との間に挟持されることとなり、出力端子６と端子受け部７とが機械的に接続されるに伴って、点灯回路１と蛍光ランプ３とが電気的に接続されるものである。
【００３２】
この場合、蛍光ランプ３側に位置する壁片１９に形成された切溝９ａの溝巾はリード線８の線径よりも若干小さく、口金４側に位置する壁片１９に形成された切溝９ｂの溝巾は同リード線８の線径よりも若干大きく設定されている。それ故、リード線８は切溝９ａにおいて係止されてその張力が確保され、出力端子６が両壁片１９間に挿入されるに伴って、このリード線８の先端側は切溝９ｂに対し摺動しながら両壁片１９間に引き込まれるので、同リード線８の蛍光ランプ３からの外れが防止される。このように、各蛍光ランプ３から導出される複数のリード線８は、同様に出力端子６と端子受け部７との間で各々同時に挟持されて、半田付け等を行うことなく簡単にその電気的な接続が行われる。
【００３３】
したがって、この実施形態の口金型蛍光灯においては、縦割り状で両側へ分割形成された第一ケース部材２ａと第二ケース部材２ｂとが接続一体化されて略筒状のケース２が形成されるので、同ケース２を分割して開放させた状態でその中に点灯回路１を有した回路基板５を容易に組み込むことができ、しかも、同点灯回路１と蛍光ランプ３及び口金４との電気的な接続作業を簡単且つ確実に行うことができて、電気的接続の信頼性も向上される。又、分割された一方の第一ケース部材２ａに点灯回路１が組み込まれ、他方の第二ケース部材２ｂに蛍光ランプ３が保持されて、両者が接続一体化されるので、点灯回路１を組み込む作業と蛍光ランプ３を保持させて装着する作業とを両ケース部材２ａ、２ｂに対し別々に行うことができ、全体の組立性が向上される。
【００３４】
又、この実施形態の口金型蛍光灯においては、両ケース部材２ａ、２ｂを機械的に接続することで、点灯回路１と蛍光ランプ３とが電気的にも接続されるので、電気的な接続作業が簡略化される。又、点灯回路１を有する回路基板５が略筒状のケース２内で筒方向に沿って縦向きに保持されるので、このケース２内の空間が蛍光ランプ３側と口金４側とに同回路基板５によっては仕切られ閉塞されることがなく、電線の引き回しが容易となる。
【００３５】
又、この実施形態の口金型蛍光灯においては、回路基板５が第一ケース部材２ａの分割開口に沿って保持され、この回路基板５に突設される出力端子６と第二ケース部材２ｂに形成される端子受け部７との間にて、蛍光ランプ３のリード線８が両ケース部材２ａ、２ｂを接続一体化する際に挟持されることにより、同リード線８と回路基板５の点灯回路１との電気的な接続が行われるので、この電気的な接続はより簡単で確実となり、生産性や電気的接続の信頼性がより向上される。
【００３６】
しかも、この場合、両ケース部材２ａ、２ｂを接続一体化する際に、蛍光ランプ３のリード線８が端子受け部７の切溝９に係合されて仮保持されるので、この端子受け部７と回路基板５の出力端子６との間の所定の位置で同リード線８は簡単且つ確実に挟持され、電気的な接続の正確性及び信頼性がより向上される。又、蛍光ランプ３のみが寿命となった場合、この蛍光ランプ３側のみの交換が可能であるため、経済的で地球環境にも好ましいものとなる。
【００３７】
図４〜６、本発明の請求項１〜５全てに対応する第二の実施形態を示し、この実施形態の口金型蛍光灯では、回路基板５に点灯回路１の出力端子６となるメス型コネクタが突設され、第二ケース部材２ｂの内側には端子受け部７となるオス型コネクタとこのオス型コネクタに隣接して並設される受け片２２とが突出形成されていて、この受け片２２に切溝９が形成されている。この場合、端子受け部７において、オス型コネクタと受け片２２とは導通している。
【００３８】
そして、図６に示す如く、蛍光ランプ３から導出されるリード線８の先端部分が受け片２２の切溝９に係合保持され、この状態で、前記端子受け部７となるオス型コネクタに出力端子６となるメス型タネクタが嵌合接続される。その際、出力端子６となるメス型コネクタでリード線８の先端部分が押圧されてこのリード線８の先端部分は端子受け部７と同出力端子６との間に挟持され、点灯回路１と蛍光ランプ３とが電気的に接続されるものである。
【００３９】
この実施形態の口金型蛍光灯では、前記の如く、端子受け部７としてオス型コネクタと受け片２２とを並設しているが、この受け片２２の役割が同オス型コネクタで兼ねられるようになしても良い。この場合、受け片２２がなくなって、オス型コネクタとメス型コネクタとの嵌合部分にリード線８が挟持されるようになる。そして、この場合には、オス型コネクタの先端部分に切溝９を形成すれば良いものである。
【００４０】
又、図４に示す如く、第一ケース部材２ａの縮径部分の筒端縁には切欠筒状で一部開口した接続部２１が延設されていて、この接続部２１の外側に口金４が嵌合されて取着固定されるものであり、この構成は、上記第一の実施形態においても同様である。なお、それ以外、この第二の実施形態の口金型蛍光灯においては、上記第一の実施形態と同様に構成されており、同第一の実施形態におけると同様の作用効果が奏されるので、その説明は省略する。
【００４１】
【発明の効果】
上述の如く、本発明の請求項１記載の口金型蛍光灯においては、ケースを縦割り状に分割して開放させた状態で、その中に点灯回路を容易に組み込むことができ、これと蛍光ランプ及び口金との電気的な接続作業を簡単且つ確実に行うことができて、電気的接続の信頼性も向上され、しかも、同点灯回路を組み込む作業と蛍光ランプを保持させて装着する作業とを別々に行うことができ、全体の組立性が向上される。
【００４２】
又、本発明の請求項２記載の口金型蛍光灯においては、特に、両ケース部材を機械的に接続することで、点灯回路と蛍光ランプとが電気的にも接続されて、電気的な接続作業が簡略化される。
【００４３】
又、本発明の請求項３記載の口金型蛍光灯においては、特に、回路基板が略筒状のケース内で縦向きに保持されて、このケース内の空間が蛍光ランプ側と口金側とに仕切られることはなく、電線の引き回しが容易となる。
【００４４】
又、本発明の請求項４記載の口金型蛍光灯においては、特に、両ケース部材を接続一体化する際に、蛍光ランプのリード線が出力端子と端子受け部との間で挟持されて、同リード線と点灯回路との電気的な接続も行われ、この電気的な接続はより簡単で確実となり、生産性や電気的接続の信頼性がより向上される。
【００４５】
又、本発明の請求項５記載の口金型蛍光灯においては、特に、蛍光ランプのリード線が切溝によって端子受け部と出力端子との間の所定の位置で簡単且つ確実に挟持され、電気的な接続の正確性及び信頼性がより向上される。
【図面の簡単な説明】
【図１】本発明の第一の実施形態である口金型蛍光灯を示す分解斜視図。
【図２】同口金型蛍光灯を示す外観斜視図。
【図３】同口金型蛍光灯を示す要部断面図。
【図４】本発明の第二の実施形態である口金型蛍光灯を示す分解斜視図。
【図５】同口金型蛍光灯を示す異なる状態での分解斜視図。
【図６】同口金型蛍光灯を示す要部断面図。
【図７】従来例である口金型蛍光灯を示す一部破断側面図。
【符号の説明】
１　点灯回路
２　ケース
２ａ　第一ケース部材
２ｂ　第二ケース部材
３　蛍光ランプ
４　口金
５　回路基板
６　出力端子
７　端子受け部
８　リード線
９　切溝
【図１】
2004022253.tif 000003
【図２】
2004022253.tif 000004
【図３】
2004022253.tif 000005
【図４】
2004022253.tif 000006
【図５】
2004022253.tif 000007
【図６】
2004022253.tif 000008
【図７】
2004022253.tif 000009